(57)【特許請求の範囲】
【請求項１】
警報装置を有する安全容器に収納される対象物に印付けをしおよび／または対象物を役に立たなくするための方法であって、
前記警報装置が始動する時に、対象物あるいは複数の対象物（１００）に印付けをしおよび／または前記対象物あるいは複数の対象物（１００）を役に立たなくするように、前記対象物／複数の対象物（１００）に亙って分散させられる対象物を印付けおよび／または役に立たなくする物質（５０）を使用すると共に、
前記警報装置が始動する時に、少なくとも部分的に前記対象物／複数の対象物（１００）に作用すると共に、前記対象物を印付けおよび／または役に立たなくする物質（５０）を前記対象物／複数の対象物（１００）に亙って分散させる爆発性物質（６０）を有する対象物に印付けをしおよび／または対象物を役に立たなくする装置（１；１’）が使用され、
開口が前記対象物／複数の対象物（１００）に対面するチャンネル（２；２’）内に前記対象物を印付けおよび／または役に立たなくする物質（５０）を封入し、前記チャンネルに隣接して前記爆発性物質（６０）を配置する、対象物に印付けをしおよび／または対象物を役に立たなくする方法において、
断面が実質的にＵ字状であると共に、端壁部（６，７；６’，７’）を有するチャンネル（２；２’）を使用し、
前記対象物を印付けおよび／または役に立たなくする物質（５０）は、前記爆発性物資（６０）によって前記チャンネル（２；２’）から推し進められると共に、前記チャンネル（２；２’）によって前記対象物／複数の対象物（１００）に亙って分散されて、前記対象物／複数の対象物（１００）に接触することを特徴とする対象物に印付けをしおよび／または対象物を役に立たなくする方法。
【請求項２】
警報付き安全容器に収納される対象物に印付けをしおよび／または対象物を役に立たなくするための装置であって、
前記警報が始動する前に、対象物あるいは複数の対象物（１００）に印付けをしおよび／または前記対象物あるいは複数の対象物（１００）を役に立たなくするように、前記対象物／複数の対象物（１００）に亙って分散させられる対象物を印付けおよび／または役に立たなくする物質（５０）と、
少なくとも部分的に前記対象物／複数の対象物（１００）に作用すると共に、前記対象物を印付けおよび／または役に立たなくする物質（５０）を前記対象物／複数の対象物（１００）に亙って分散させる爆発性物質（６０）と、
開口が前記対象物／複数の対象物（１００）に対面するチャンネル（２；２’）とを有し、
前記対象物を印付けおよび／または役に立たなくする物質（５０）が前記チャンネル（２；２’）内に封入され、前記爆発性物質（６０）が前記チャンネルに隣接して配置される、対象物に印付けをしおよび／または対象物を役に立たなくする装置（１；１’）において、
前記チャンネル（２；２’）が、実質的にＵ字状断面を有すると共に、端壁部（６，７；６’，７’）を有し、
前記対象物を印付けおよび／または役に立たなくする物質（５０）は、前記爆発性物資（６０）によって前記チャンネル（２；２’）から推し進められると共に、前記チャンネル（２；２’）によって前記対象物／複数の対象物（１００）に亙って分散されて、前記対象物／複数の対象物（１００）に接触することを特徴とする対象物に印付けをしおよび／または対象物を役に立たなくするための装置。
【請求項３】
前記チャンネル（２；２’）の前記開口は、グリッドあるいは格子張構造（１１，１１’）により覆われていることを特徴とする請求項２に記載の装置。
【請求項４】
前記爆発性物質（６０）は、爆発性物質の弦であることを特徴とする請求項２または３に記載の装置。
【請求項５】
前記爆発性物質（６０）は、ペンチル信管であることを特徴とする請求項２〜４のいずれか一項に記載の装置。
【請求項６】
前記対象物を印付けおよび／または役に立たなくする物質（５０）は、ケーシング（１０；１０’）に封入された単一成分の液体であることを特徴とする請求項２〜５のいずれか一項に記載の装置。
【請求項７】
前記対象物を印付けおよび／または役に立たなくする物質（５０）は、二つの成分の液体であり、個々の前記液体は、別個のケーシングに封入されていることを特徴とする請求項２〜６のいずれか一項に記載の装置。
【請求項８】
前記対象物を印付けおよび／または役に立たなくする物質を入れる前記ケーシング（１０；１０’）は、箔、例えばプラスチック箔からなることを特徴とする請求項６または７に記載の装置。
【発明の詳細な説明】
本発明は、請求の範囲第１項の前提部分に従う、対象物の破壊方法に関する。また、本発明は、この方法を実施するための装置にも関する。
例えば銀行手形のような貴重品を運搬するための安全容器は、一般に、染料を解放するカセットあるいはアンプルの形状をした破壊装置を収納しており、これらのカセットは、安全容器が非合法に使用される時に、染料を解放するように働き、それにより、安全容器内の内容物を着色し、さもなければ破壊する。
安全容器が、例えば密封されたプラスチック外囲容器で満たされていたら、この外囲容器内の内容物、例えば銀行手形を十分に着色させることは、非常に困難である。
本発明の目的は、安全容器内の対象物あるいは製品を、特別に効果的な方法で破壊することができる方法及び装置を提供することである。この目的は、各々の請求項に開示された固有の特徴を有する方法及び装置により達成される。
本発明のよりもたらされる幾つかの利点を、以下に挙げる。
本発明の方法及び装置は、衝撃波を発生させ、この衝撃波が外囲容器／包装および／または銀行手形や他の製品の束を裂き割って開放することにより、非常に大きな表面積が破壊物質に曝されるようになる。
破壊物質は、また、非常に効果的に分散させられる。
本発明の装置は、例えば単一成分の破壊物質と相互に異なるタイプの複数成分の破壊物質との両方を収容することができる。磁気テープ、フロッピーディスク、あるいは他の情報媒体を破壊したり役に立たなくしたりする破壊物質は、もちろん、本発明の装置に使用され得る。
本発明の装置は、いかなる特有の大きさや寸法にも制限されず、必要な仕様に適用することができる。
本発明の装置は、また、技術的および経済的利点を有する。
本発明を、例示的な実施例及び添付の図面を参照しながら、より詳細に説明する。添付図面の図１は、本発明に係る破壊装置の第一実施例の概略的な斜視図であり、図２は、図１に示した装置の概略的な断面図であり、図３は、本発明に係る破壊装置の第二実施例の概略的な斜視図であり、図４は、図３に示した装置の概略的な断面図である。
図１及び図２から明らかなように、本発明に係る破壊装置１は、チャンネル２を備えており、このチャンネル２は、使用する際、非合法に使用された場合にこの装置が破壊しようとする対象物１００に対面するようにする。チャンネル２は、底部３、二つの側部４，５及び二つの端壁部６，７を有する、ほぼＵ字状断面を有するのが好ましい。チャンネル２は、例えばガラス繊維強化プラスチックやアルミニウムにより作成され得る。
チャンネル２の内部に配置されているのは、破壊物質５０を収容するケーシングであり、このケーシングは、端部密閉ホース（end-sealed hose）１０の形状をしている。ホース１０は、プラスチック箔（plastic foil）により構成することができ、破壊物質は、単一成分の液体あるいは際立った色の染料にすることができる。破壊物質で満たされたホース１０は、グリッドすなわち格子張１１により適所に保持され、この格子張１１は、例えばチャンネル２へしっかり接着かあるいはねじ止めされる。ホース１０及び格子張１１の間に配置されているのは、爆発性物質６０の弦（string）である。爆発性物質６０の弦は、格子張１１の外向膨出部１２内に収納されている。ケーシング（ホース）１０の長さ及び幅寸法は、チャンネル２の内側寸法とほぼ同じであり、チャンネル２を効果的に満たせるようになっている。格子張１１は、チャンネル２全体を覆うのが好ましく、爆発性物質６０の弦は、チャンネル２の全長に沿って延びているのが好ましい。
爆発性物質６０は、細長の、適宜プラスチック封入した、ペンチル信管の形状をしているが、他の爆発性物質でも、もちろん好都合である。
二種類の成分の爆発性物質を使用したい時には、端部密閉ホース１０は、二つの部分等に分けられる。チャンネル２内に破壊物質を封入するように、例えば箔蓋（foil lid）等の薄い被覆あるいは蓋をチャンネル２に備え付けるようする場合には、ホース１０は、時々省略される。
図３及び図４は、破壊装置１’の代替的な実施例を図解したものであり、この破壊装置において、チャンネル２’は、並列になっており、且つ共通の格子張１１’で覆われている。各チャンネル２’は、破壊物質で満たされた個々のホース１０’を収容している。爆発性物質６０の弦は、図３及び図４に示すように、各ホース１０’及び共通の格子張１１’の間に配置されている。チャンネル２’は、ほぼＵ字状断面を有しており、比較的に深い。個々のチャンネル２’は、底部３’、二つの側部４’，５’、及び二つの端壁部６’，７’を有する。
本発明の破壊装置の機能及び使い方をより詳細に説明するが、最初の段階として、破壊装置１は、警報保護付き安全容器に置かれ、爆発性物質６０は、安全容器に据え付けられた警報装置に接続される。破壊装置１の長さは、安全容器に許容し得る最大の長さであるのが好ましく、また、破壊装置は、必要な対象物を確実に破壊するために、できる限り対象物１００の近くに配置され、それにより、チャンネルの開口は、銀行手形を収容する山のようなあるいは多数の束の密封プラスチック外囲容器からなる対象物１００に対面する。
破壊装置１が警報装置により作動／始動した時、次の事が成される。
爆発性物質６０は、二つの働きをする。爆発性物質６０は、対象物１００に直接作用し、存在するいかなるシールをも開放し、銀行手形や書類等を物理的に変形させる。爆発性物質６０は、破壊物質５０のホースすなわちケーシング１０を破壊し、破壊物質５０を対象物１００に接触させるように推し進める。チャンネル２の断面形状は、破壊物質５０を対象物１００に効果的に案内するのに寄与する。
図３及び図４に図解された実施例もまた、上述したように機能し、同じ方法で使用される。
複数成分の破壊物質のコンポーネントは、このコンポーネントが対象物１００に到達する前に、発生した爆発力により非常に効果的に混合されるであろう。
チャンネル２の構造は、破壊物質の分散にとても重要である。
従って、本発明のチャンネルには、破壊物質の分散を制御するように機能する開口が存在する。チャンネル開口の幅とチャンネルの構造、及びチャンネルに関する爆発性物質の位置、これら総ては、破壊物質の分散のパターンに影響を及ぼす。
本発明の一つの有益な実施例において、チャンネルの断面形状は、一般的な車両の前照灯の形状に相応しており、チャンネルが、大体、前照灯反射鏡と類似に機能するようになっている。この点に関し、爆発性物質は、チャンネルの焦点と呼ぶことができる所に配置され、それにより、チャンネルを媒介として破壊物質の非常に効果的な分散を達成する。
本発明の装置１の構造的コンポーネントは、種々の点で改良且つ変更することができることは、分かるであろう。
例えば、ホースすなわちケーシング１０は、チャンネル２に沿って、複数のサブケーシングに分割することができる。
格子張１１は、例えばプラスチックあるいは金属箔に交換することができ、その場合には、爆発物物質弦は、この箔に接着され得る。所望するならば、上述した箔は、チャンネル内で破壊物質を封入するために使用することもできる。
チャンネルを満たす材料、例えば封入充填材料（破壊材料）と対象物１００との間の爆発性物質の弦の配置は、チャンネルあるいは前記の反射鏡状構造のボウルを排除する前に、対象物／製品１００をバラバラに破裂させることが可能であることに気づくであろう。
従って、本発明は、図解した且つ説明した実施例には限定されることなく、次の請求の範囲の範囲内で改良することができることが分かるであろう。
【図１】
0004055957.tif 000002
【図２】
0004055957.tif 000003
【図３】
0004055957.tif 000004
【図４】
0004055957.tif 000005